(57)【要約】【課題】巻ぐせのついたウエブがカッタロールとアンビルロールとで切断されて製品とされた場合でもその製品を正規の製品搬送路に沿って搬送させることができるようにしたウエブ切断装置を提供することである。【解決手段】複数のウエブＷ1 の重ね合わせによって形成された丁合ウエブＷ0 の移送路に、その丁合ウエブＷ0 を所定の長さに切断して製品Ａを形成するカッタロール１０とアンビルロール１１を設ける。アンビルロール１１の外周上部にブラシロール１３を設け、このブラシロール１３をアンビルロール１１に対して同方向に接触回転させる。カッタロール１０とアンビルロール１１間を通過した丁合ウエブＷ0 の先端部が下向きにカールしてアンビルロール１１の外周上部に沿って移動してきたとき、ブラシロール１３により丁合ウエブＷ0 の先端部を跳ね上げて上下一対の紙送りベルト１２ａ、１２ｂ間に送り込み、その後、カッタロール１０とアンビルロール１１とで丁合ウエブＷ0 を切断して、製品Ａが正規の搬送路の経路外に取り出されるのを防止する。【選択図】図１
2005263465.tif 000002
【特許請求の範囲】
【請求項１】
ウエブロールから引き出されるウエブを互に逆方向に回転されるカッタロールとアンビルロールとで所定の長さに切断するようにしたウエブ切断装置において、前記アンビルロールのカッタロールに対する対設位置より回転方向前側の外周上部に、アンビルロールに対して同方向に回転されるブラシロールを接触させたことを特徴とするウエブ切断装置。
【発明の詳細な説明】
【技術分野】
【０００１】
この発明は、ウエブロールから引き出されるウエブをその移送路に設けられたカッタ装置により所定の長さに切断するウエブ切断装置に関するものである。
【背景技術】
【０００２】
一般に、マージナルパンチのついた伝票の形成に際しては、連続用紙（ウエブ）に一定のピッチで印刷を行なったのち、その両側部にマージナルパンチを穿設して、一旦ロール状に巻取り、その巻取りにより形成されたウエブロールの複数を丁合機の給紙部にセットして、その丁合機により伝票を形成するようにしている。
【０００３】
上記伝票形成用の丁合機として、給紙部にセットされた複数のウエブロールのそれぞれから引き出されたウエブを互に重ね合わせて丁合ウエブを形成し、この丁合ウエブを、その移送路に設けられたカッタロールとアンビルロールとから成るカッタ装置により所定の長さに切断して伝票を形成し、この伝票を上下一対の紙送りベルトで上下から挟持して下流側に設けられたラップコンベヤ上に送り込むようにしたものが従来から知られている。
【発明の開示】
【発明が解決しようとする課題】
【０００４】
上記従来の丁合機においては、ウエブロールの巻径が小さくなるにつれて、ウエブの巻きぐせが次第に強くなるため、巻きぐせの強いウエブで形成された丁合ウエブの先端部がカッタロールとアンビルロール間を通過したとき、その丁合ウエブの先端部はカールしてアンビルロールの外周に沿って移動し、上記両ロールで丁合ウエブを切断して伝票を形成した場合に、その伝票はアンビルロールの周方向に移動して経路外に取り出され、正規の製品搬送路に沿って移送させることができないという問題があった。
【０００５】
この発明の課題は、ウエブロールの巻径が小さくなって巻ぐせの強いウエブから形成される丁合ウエブが所定の長さに切断されて製品とされた場合でも、その製品を正規の搬送路に沿って確実に移送させることができるようにしたウエブ切断装置を提供することである。
【課題を解決するための手段】
【０００６】
上記の課題を解決するために、この発明においては、ウエブロールから引き出されるウエブを互に逆方向に回転されるカッタロールとアンビルロールとで所定の長さに切断するようにしたウエブ切断装置において、前記アンビルロールのカッタロールに対する対設位置より回転方向前側の外周上部に、アンビルロールに対して同方向に回転されるブラシロールを接触させた構成を採用したのである。
【発明の効果】
【０００７】
上記のように、アンビルロールにブラシロールを接触し、そのブラシロールをアンビルロールに対して同方向に接触回転させることにより、カッタロールとアンビルロール間を通過した巻ぐせの強いウエブの先端部がアンビルロールの外周に沿って移動した場合に、そのウエブの先端部をブラシロールの回転により跳ね上げて正規の製品搬送路に沿って移動させることができる。このため、カッタロールとアンビルロールとでウエブを切断して製品を形成した場合に、その製品を正規の製品搬送路に沿って移送させることができる。
【発明を実施するための最良の形態】
【０００８】
以下、この発明の実施の形態を図面に基づいて説明する。いま、例えば、ウエブ切断装置として丁合機を例にとって説明すると、給紙部１には複数のウエブロールＲ1 乃至Ｒ6 が回転自在に支持されている。
【０００９】
ウエブロールＲ1 乃至Ｒ6 は、印刷後のウエブＷ1 をワインダにより巻取ってロール状としたものであり、上記ウエブＷ1 の両側部には図示省略したマージナルパンチがウエブＷ1 の長さ方向に等間隔に形成されている。
【００１０】
複数のウエブロールＲ1 乃至Ｒ6 のそれぞれから引き出されたウエブＷ1 は第１受けロール２の外周上部に引き込まれて互に重ね合わされる。
【００１１】
複数のウエブＷ1 の重ね合わせによって丁合ウエブＷ0 が形成され、この丁合ウエブＷ0 は、第１受けロール２から下流側に移送される。その移送路には、第２受けロール３、ウエブ移送装置４、カッタ装置５、製品搬送装置６およびラップコンベヤ７が順に設けられている。
【００１２】
ウエブ移送装置４は、丁合ウエブＷ0 の移送路の両側に設けられた一対のチェーン８のそれぞれに、各ウエブＷ1 の両側部に形成されたマージナルパンチの形成ピッチに対応する間隔をおいて送り爪９を設け、その送り爪９を丁合ウエブＷ0 のマージナルパンチに係合させてチェーン８の移動により、その丁合ウエブＷ0 を下流側に送るようにしている。
【００１３】
カッタ装置５は、カッタロール１０と、その下方に設けられたアンビルロール１１とから成る。各ロール１０、１１は図１の矢印で示すように相対的に逆方向に回転され、上記カッタロール１０の外周に設けられたカッタ１０ａをアンビルロール１１の外周に接触させて丁合ウエブＷ0 を所定の長さに切断するようにしている。その切断によって製品Ａが形成され、この製品Ａは前記製品搬送装置６によって下流側に搬送される。
【００１４】
製品搬送装置６は上下に配置された一対のエンドレスの紙送りベルト１２ａ、１２ｂから成り、カッタ装置５から排出される製品Ａは、その一対の紙送りベルト１２ａ、１２ｂで上下から挟持されて下流側のラップコンベヤ７上に送り込まれる。
【００１５】
ここで、ラップコンベヤ７による製品Ａの搬送速度は製品搬送装置６による製品Ａの搬送速度より低速とされ、その相対的な速度差によって製品搬送装置６からラップコンベヤ７上に搬送された製品Ａは、そのラップコンベヤ７上においてラップ状とされる。
【００１６】
前記カッタ装置５におけるアンビルロール１１の外周には、カッタロール１０に対する対設位置より回転方向前側の外周上部にブラシロール１３が設けられている。
【００１７】
図３に示すように、ブラシロール１３は、同図の矢印で示すように、アンビルロール１１の回転方向に対して同方向に回転駆動される。このブラシロール１３はアンビルロール１１に対して接触回転するようになっている。
【００１８】
実施の形態で示す丁合機は上記の構造から成り、給紙部１にウエブロールＲ1 乃至Ｒ6 がセットされるとき、各ウエブロールＲ1 乃至Ｒ6 は外周上部からウエブＷ1 が引き出されるようにセットされる。そのセット状態で、ウエブロールＲ1 乃至Ｒ6 のそれぞれからウエブＷ1 を引き出して互に重ね合わせ、その重ね合わせによって形成される丁合ウエブＷ0 は、ウエブ移送装置４により下流側に設けられたカッタロール１０とアンビルロール１１の対向部間に送り込まれる。
【００１９】
このとき、カッタロール１０とアンビルロール１１は互に逆方向に回転されているため、丁合ウエブＷ0 は、カッタロール１０に設けられたカッタ１０ａにより所定の長さに切断される。その切断によって形成された製品Ａは上下一対の紙送りベルト１２ａ、１２ｂにより上下から挟持されて下流側に搬送され、その紙送りベルト１２ａ、１２ｂの搬出端からラップコンベヤ７上に送り込まれてラップ状とされ、上記ラップコンベヤ７によって下流側に搬送される。
【００２０】
ウエブロールＲ1 乃至Ｒ6 のそれぞれからウエブＷ1 が順次引き出されることによって、ウエブロールＲ1 乃至Ｒ6 の巻径は次第に小さくなり、巻ぐせのついたウエブＷ1 によって丁合ウエブＷ0 が形成されると、その丁合ウエブＷ0 の先端部がカッタロール１０とアンビルロール１１間を通過したとき、丁合ウエブＷ0 の先端部は下向きにカールしてアンビルロール１１の外周に沿って移動することになる。
【００２１】
このとき、アンビルロール１１に対してブラシロール１３が接触回転していると共に、そのブラシロール１３の回転方向はアンビルロール１１の回転方向に対して同方向であるため、丁合ウエブＷ0 のカールした先端部がアンビルロール１１の外周に沿って移動すると、その丁合ウエブＷ0 の先端部はブラシロール１３との接触により跳ね上げられて上下一対の紙送りベルト１２ａ、１２ｂ間に送り込まれ、その後、カッタロール１０のカッタ１０ａが丁合ウエブＷ0 を切断するため、その切断によって形成された製品Ａは、上下一対の紙送りベルト１２ａ、１２ｂで上下から挟持されてラップコンベヤ７上に送り込まれることになる。
【００２２】
このように、ウエブロールＲ1 乃至Ｒ6 の巻径が小さくなり、巻ぐせのついたウエブＷ1 により形成される丁合ウエブＷ0 の先端部がアンビルロール１１の外周に沿って移動したとしても、ブラシロール１３によって上下一対の紙送りベルト１２ａ、１２ｂ間に送り込むことができるため、カッタロール１０によって切断された製品Ａを正規の製品搬送路に沿って搬送させることができる。
【００２３】
実施の形態では、ウエブ切断装置として丁合機を示したが、ウエブ切断装置は丁合機に限定されるものではない。例えば、１本のウエブロールから引き出されたウエブをカッタ装置によって所定の長さに連続して切断するようにしたものであってもよい。
【図面の簡単な説明】
【００２４】
【図１】この発明に係るウエブ切断装置の実施の形態を示す概略図
【図２】図１に示すカッタ装置の側面図
【図３】図１に示すカッタ装置部を拡大して示す正面図
【符号の説明】
【００２５】
Ｒ1 乃至Ｒ6   ウエブロール
Ｗ1           ウエブ
Ｗ0           丁合ウエブ
１０          カッタロール
１１          アンビルロール
１３          ブラシロール
【図１】
2005263465.tif 000003
【図２】
2005263465.tif 000004
【図３】
2005263465.tif 000005